(57)【要約】【課題】Ｂモード画像を大きく表示しつつ，ドプラ波形が安定したかどうかを判断できる音響波診断装置およびその制御方法を提供する。【解決手段】被検体のＢモード画像41を表示しながら，被検体のうち，流体の速度を観測する部分42のドプラ波形が生成される。ドプラ波形が安定したか不安定状態にあるかが判定され，不安定状態にある場合には，不安定状態にあることを示す情報として，ドプラ波形の包絡線43を赤色で表示する。ドプラ波形が安定したら包絡線43の色を緑色とする。その後，Ｂモード画像41が縮小され，ドプラ波形が表示される。【選択図】図６
2016059470.tif 000002
【特許請求の範囲】
【請求項１】
被検体に音響波を送信し，上記被検体からの音響波エコーを表わす音響波エコー信号を出力する音響波プローブ，
上記音響波プローブから出力される音響波エコー信号からＢモード画像を生成するＢモード画像生成手段，
上記Ｂモード画像生成手段によって生成されたＢモード画像を表示画面に表示するように表示装置を制御する第１の表示制御手段，
上記音響波プローブから出力される音響波エコー信号から，上記被検体のうち速度を観測する部分のドプラ波形を生成するドプラ波形生成手段，
上記ドプラ波形生成手段によって生成されるドプラ波形が安定したか不安定状態にあるかを判定するドプラ波形判定手段，および
上記ドプラ波形判定手段において上記ドプラ波形が不安定状態にあると判定されたことにより，不安定状態にあることを示す情報を上記表示画面に表示するように上記表示装置を制御する第２の表示制御手段，
を備えた音響波診断装置。
【請求項２】
上記ドプラ波形生成手段によって生成されるドプラ波形の包絡線を生成する包絡線生成手段をさらに備え，
上記第２の表示制御手段は，
上記ドプラ波形判定手段において上記ドプラ波形が不安定状態にあると判定されたことにより，不安定状態にあることを示す情報として上記包絡線生成手段によって生成された包絡線を上記表示画面に表示するように上記表示装置を制御するものである，
請求項１に記載の音響波診断装置。
【請求項３】
上記第２の表示制御手段は，
上記ドプラ波形判定手段において上記ドプラ波形が不安定状態にあると判定されたことにより，不安定状態にあることを示す情報として上記包絡線生成手段によって生成された包絡線を，上記第１の表示制御手段により上記表示画面に表示されているＢモード画像に重畳して表示するように上記表示装置を制御するものである，
請求項２に記載の音響波診断装置。
【請求項４】
上記第２の表示制御手段は，
上記ドプラ波形判定手段において上記ドプラ波形が不安定状態にあると判定されたことにより，不安定状態にあることを示す情報として不安定状態にあることを示す文字列を，上記表示画面に表示するように上記表示装置を制御するものである，
請求項１に記載の音響波診断装置。
【請求項５】
上記第１の表示制御手段は，
上記ドプラ波形判定手段において上記ドプラ波形が安定したと判定されたことにより，上記ドプラ波形が不安定状態にある場合に表示されるＢモード画像に比べて，Ｂモード画像を縮小して上記表示画面に表示するように上記表示装置を制御するものである，
請求項１から４のうち，いずれか一項に記載の音響波診断装置。
【請求項６】
上記ドプラ波形判定手段において上記ドプラ波形が安定したと判定されたことにより上記ドプラ波形生成手段において生成されたドプラ波形を上記表示画面に表示するように上記表示装置を制御する第３の表示制御手段，
をさらに備えた請求項１に記載の音響波診断装置。
【請求項７】
上記第２の表示制御手段は，
上記ドプラ波形判定手段において上記ドプラ波形が安定したと判定されたことにより上記包絡線生成手段において生成された包絡線の上記表示画面への表示を停止し，かつ上記ドプラ波形生成手段において生成されたドプラ波形を上記表示画面に表示するように上記表示装置を制御する，
請求項２に記載の音響波診断装置。
【請求項８】
上記ドプラ波形の上記表示画面における大きさは，上記包絡線の大きさよりも大きいものである，
請求項７に記載の音響波診断装置。
【請求項９】
上記ドプラ波形判定手段において上記ドプラ波形が安定したと判定されたことにより，上記ドプラ波形を記録するドプラ波形記録制御手段，
をさらに備えた請求項１から８のうち，いずれか一項に記載の音響波診断装置。
【請求項１０】
上記ドプラ波形生成手段によって生成されるドプラ波形の包絡線を生成する包絡線生成手段をさらに備え，
上記第２の表示制御手段は，
上記ドプラ波形が安定しているか不安定状態にあるかにかかわらず上記包絡線を上記表示画面に表示するものであり，上記ドプラ波形が安定している場合と不安定な場合とで上記包絡線の色を変えて表示するものである，
請求項１に記載の音響波診断装置。
【請求項１１】
音響波プローブが，被検体に音響波を送信し，上記被検体からの音響波エコーを表わす音響波エコー信号を出力し，
Ｂモード画像生成手段が，上記音響波プローブから出力される音響波エコー信号からＢモード画像を生成し，
第１の表示制御手段が，上記Ｂモード画像生成手段によって生成されたＢモード画像を表示画面に表示するように表示装置を制御し，
ドプラ波形生成手段が，上記音響波プローブから出力される音響波エコー信号から，上記被検体のうち速度を観測する部分のドプラ波形を生成し，
ドプラ波形判定手段が，上記ドプラ波形生成手段によって生成されるドプラ波形が安定したか不安定状態にあるかを判定し，
第２の表示制御手段が，上記ドプラ波形判定手段において上記ドプラ波形が不安定状態にあると判定されたことにより，不安定状態にあることを示す情報を上記表示画面に表示するように上記表示装置を制御する，
音響波診断装置の制御方法。
【発明の詳細な説明】
【技術分野】
【０００１】
この発明は，音響波診断装置およびその制御方法に関する。
【背景技術】
【０００２】
パルス・ドプラ法を用いて被検体の流体の速度を観測する場合，Ｂモード画像上で観測部分を設定し，観測部分におけるドプラ波形が安定しているかどうかをチェックしている。一般的には，Ｂモード画像とドプラ波形とを並列表示しており，ドプラ波形が安定したタイミングでドプラ波形を拡大している。この場合に，ドプラ波形が安定したことにより，Ｂモード画像と拡大されたドプラ波形とを並列表示するもの（特許文献１），ドプラ波形が安定したと判断された場合にＢモード画像を非表示にするもの（特許文献２，特許文献３）などもある。
【０００３】
また，サンプル領域の変更を検出すると，測定モードが切り替わるもの（特許文献４），ユーザの関心に応じて，Ｂモード画像よりもドップラ画像を大きく表示したり，ドップラ画像よりもＢモードを大きく表示したりするもの（特許文献５），Ｂモード画像と同時にドップラ画像を表示し，カーソル近傍領域を拡大表示するもの（特許文献６）などもある。
【先行技術文献】
【特許文献】
【０００４】
【特許文献１】特開2012-170748号公報
【特許文献２】特開平11-188035号公報
【特許文献３】特開平2-280740号公報
【特許文献４】特表2012-525191号公報
【特許文献５】特開2006-325709号公報
【特許文献６】特開2006-87696号公報
【発明の概要】
【発明が解決しようとする課題】
【０００５】
しかしながら，特許文献１から６のように，ドプラ波形が安定するまで，ドップラ波形とＢモード画像とを表示しているのでは，Ｂモード画像を大きく表示することはできない。表示領域の大きさに制限のある携帯型超音波診断装置では特に問題となってしまう。また，単に，Ｂモード画像だけを表示するのでは，ドップラ波形が安定しているかどうか分らないので，どのタイミングでドプラ波形を表示させればよいかがユーザは分からない。
【０００６】
この発明は，Ｂモード画像を大きく表示しつつ，ドプラ波形が安定したかどうか判断できるようにすることを目的とする。
【課題を解決するための手段】
【０００７】
この発明による音響波診断装置は，被検体に音響波を送信し，被検体からの音響波エコーを表わす音響波エコー信号を出力する音響波プローブ，音響波プローブから出力される音響波エコー信号からＢモード画像を生成するＢモード画像生成手段，Ｂモード画像生成手段によって生成されたＢモード画像を表示画面に表示するように表示装置を制御する第１の表示制御手段，音響波プローブから出力される音響波エコー信号から，被検体のうち速度を観測する部分のドプラ波形を生成するドプラ波形生成手段，ドプラ波形生成手段によって生成されるドプラ波形が安定したか不安定状態にあるかを判定するドプラ波形判定手段，およびドプラ波形判定手段においてドプラ波形が不安定状態にあると判定されたことにより，不安定状態にあることを示す情報を表示画面に表示するように表示装置を制御する第２の表示制御手段を備えていることを特徴とする。
【０００８】
この発明は，音響波診断装置に適した制御方法も提供している。すなわち，この方法は，音響波プローブが，被検体に音響波を送信し，被検体からの音響波エコーを表わす音響波エコー信号を出力し，Ｂモード画像生成手段が，音響波プローブから出力される音響波エコー信号からＢモード画像を生成し，第１の表示制御手段が，Ｂモード画像生成手段によって生成されたＢモード画像を表示画面に表示するように表示装置を制御し，ドプラ波形生成手段が，音響波プローブから出力される音響波エコー信号から，被検体のうち速度を観測する部分のドプラ波形を生成し，ドプラ波形判定手段が，ドプラ波形生成手段によって生成されるドプラ波形が安定したか不安定状態にあるかを判定し，第２の表示制御手段が，ドプラ波形判定手段においてドプラ波形が不安定状態にあると判定されたことにより，不安定状態にあることを示す情報を表示画面に表示するように表示装置を制御することを特徴とする。
【０００９】
ドプラ波形生成手段によって生成されるドプラ波形の包絡線を生成する包絡線生成手段をさらに備えてもよい。この場合，第２の表示制御手段は，ドプラ波形判定手段においてドプラ波形が不安定状態にあると判定されたことにより，不安定状態にあることを示す情報として包絡線生成手段によって生成された包絡線を表示画面に表示するように表示装置を制御するものとなろう。
【００１０】
第２の表示制御手段は，ドプラ波形判定手段においてドプラ波形が不安定状態にあると判定されたことにより，不安定状態にあることを示す情報として包絡線生成手段によって生成された包絡線を，第１の表示制御手段により表示画面に表示されているＢモード画像に重畳して表示するように表示装置を制御するものでもよい。
【００１１】
第２の表示制御手段は，ドプラ波形判定手段においてドプラ波形が不安定状態にあると判定されたことにより，不安定状態にあることを示す情報として不安定状態にあることを示す文字列を，表示画面に表示するように表示装置を制御するものでもよい。
【００１２】
第１の表示制御手段は，ドプラ波形判定手段においてドプラ波形が安定したと判定されたことにより，ドプラ波形が不安定状態にある場合に表示されるＢモード画像に比べて，Ｂモード画像を縮小して表示画面に表示するように表示装置を制御するものでもよい。
【００１３】
ドプラ波形判定手段においてドプラ波形が安定したと判定されたことによりドプラ波形生成手段において生成されたドプラ波形を表示画面に表示するように表示装置を制御する第３の表示制御手段をさらに備えてもよい。
【００１４】
第２の表示制御手段は，ドプラ波形判定手段においてドプラ波形が安定したと判定されたことにより包絡線生成手段において生成された包絡線の表示画面への表示を停止し，かつドプラ波形生成手段において生成されたドプラ波形を表示画面に表示するように表示装置を制御するものでもよい。
【００１５】
ドプラ波形の上記表示画面における大きさは，包絡線の大きさよりも大きいものでもよい。
【００１６】
ドプラ波形判定手段においてドプラ波形が安定したと判定されたことにより，ドプラ波形を記録するドプラ波形記録制御手段をさらに備えてもよい。
【００１７】
ドプラ波形生成手段によって生成されるドプラ波形の包絡線を生成する包絡線生成手段をさらに備えてもよい。この場合，第２の表示制御手段は，ドプラ波形が安定しているか不安定状態にあるかにかかわらず包絡線を表示画面に表示するものであり，ドプラ波形が安定している場合と不安定な場合とで包絡線の色を変えて表示するものが好ましい。
【発明の効果】
【００１８】
音響波プローブから出力される音響波エコー信号からＢモード画像が生成され，生成されたＢモード画像が表示画面に表示される。また，音響波エコー信号から，被検体のうち流体の速度を観測する部分のドプラ波形が生成される。生成されるドプラ波形が安定したか不安定状態にあるかが判定され，不安定状態にあると判定されたことにより，不安定状態にあることを示す情報が表示画面に表示される。ドプラ波形が不安定状態にある場合には，不安定状態にあることを示す情報が表示されるので，ユーザは，その情報を見て不安定状態にあると判断できる。このため，Ｂモード画像のみを大きく表示できる。その情報が表示されなければドプラ波形が安定したことが分るので，ドプラ波形を表示させることができる。
【図面の簡単な説明】
【００１９】
【図１】超音波診断装置の電気的構成を示すブロック図である。
【図２】超音波診断装置の処理手順を示すフローチャートである。
【図３】超音波診断装置の処理手順を示すフローチャートである。
【図４】Ｂモード画像の一例である。
【図５】Ｂモード画像の一例である。
【図６】Ｂモード画像とドプラ波形の包絡線の一例である。
【図７】Ｂモード画像とドプラ波形の包絡線の一例である。
【図８】Ｂモード画像とドプラ波形の一例である。
【図９】超音波診断装置の処理手順の一例である。
【図１０】超音波診断装置の処理手順の一例である。
【図１１】Ｂモード画像の一例である。
【図１２】Ｂモード画像の一例である。
【発明を実施するための形態】
【００２０】
図１は，この発明の実施例を示すもので超音波診断装置１の電気的構成を示すブロック図である。
【００２１】
この実施例においては，音響波として超音波が用いられるが，超音波に限定されるものではなく，被検対象，測定条件などに応じて適切な周波数が選択されれば，可聴周波数の音響波を用いるようにしてもよい。また，この実施例における超音波診断装置においては，Ｂモード画像，被検体の流体の速度を観測する部分のドプラ波形を得ることができる。被検体は，必ずしも人間だけではなく，壁の中に配管があり，その配管の中の流体を観測する場合にも適用できる。
【００２２】
超音波診断装置１の全体の動作は，制御装置２によって統括される。
【００２３】
制御装置２には，超音波診断装置１を操作する技師等のユーザによって操作される操作装置３および所定のデータ等が格納される格納装置４が接続されている。
【００２４】
超音波診断装置１には，超音波プローブ６が含まれている。超音波プローブ６には，複数の超音波振動子が含まれている。
【００２５】
制御装置２から出力される制御信号は送信装置５に与えられる。すると，送信装置５から超音波プローブ６の超音波振動子に電気パルスが与えられる。超音波振動子によって電気パルスが超音波パルスに変換され，被検体の体内を伝播し，超音波エコーが超音波プローブ６に戻る。超音波エコーは，超音波振動子において電気信号（超音波エコー信号）に変換される。変換された超音波エコー信号が超音波プローブ６から出力される。
【００２６】
超音波プローブ６から出力された超音波エコー信号は，受信装置７に与えられる。受信装置７において超音波エコー信号が増幅され，アナログ／ディジタル変換回路８において，ディジタルの超音波エコー・データに変換される。超音波エコー・データは，超音波エコー・データ記憶装置９に与えられ，一時的に記憶される。超音波エコー・データは，超音波エコー・データ記憶装置９から読み取られ，超音波エコー・データ処理装置10に入力する。
【００２７】
超音波エコー・データ処理装置10において所定の処理が行われて整相加算装置11に入力する。整相加算装置11において，異なる超音波振動子に入力した超音波エコー・データが一つにまとめられて（整相加算），整相加算データとして出力する。
【００２８】
Ｂモード画像が生成される場合には，整相加算装置11から出力された整相加算データは，検波処理装置12において検波される。検波後のデータは，ドプラ演算装置13を単に通過してＤＳＣ（ディジタル・スキャン・コンバータ）14に入力する。
【００２９】
ＤＳＣ14において，検波後のデータが，通常のテレビジョン信号の走査方式に従う画像データにラスタ変換される（Ｂモード画像生成手段）。ＤＳＣ13から出力された画像データは，画像作成装置15において，階調処理等の画像処理が行われる。画像作成装置15から出力された画像データは表示制御装置17に与えられ，制御装置17によって表示装置18の表示画面にＢモードの超音波画像を表示するように制御される（第１の表示制御手段）。画像作成装置15から出力された画像データは画像メモリ16にも与えられ，画像メモリ16に，Ｂモード画像を表わす画像データが記憶される。画像メモリ16に記憶された画像データが表示制御装置17に与えられることにより，Ｂモード画像が表示装置18の表示画面に表示される。
【００３０】
この実施例による超音波診断装置１は，被検体のうち流体（例えば，血流）の速度を観測する部分のドプラ波形を生成することもできる。
【００３１】
ドプラ波形が生成される場合には，時間的に異なるタイミングで被検体に複数回超音波が送信され，複数回の超音波の送信により得られた複数の整相加算と検波を得たパルス・ドプラ時系列データを用いてドプラ波形が生成される。
【００３２】
パルス・ドプラ時系列データは，ドプラ演算装置13に入力する。
【００３３】
ドプラ演算装置13において，ドプラ時系列データをＦＦＴ（Fast Fourier Transform）により周波数解析し，流体の向きおよび速度を表わすスペクトラム・データが得られる。この速度と向きとを表わすデータがドプラ演算装置13の出力データとなり，ＤＳＣ（ディジタル・スキャン・コンバータ）14に入力する。
【００３４】
ＤＳＣ14において，通常のテレビジョン信号の走査方式に従う画像データにラスタ変換されて，ドプラ波形が生成される（ドプラ波形生成手段）。生成されたドプラ波形を表わすデータは，画像作成装置16を介して表示制御装置17に与えられる。表示制御装置17（第３の表示制御手段）の制御のもと，表示装置18の表示画面にドプラ波形が表示されることとなる。
【００３５】
ドプラ波形を表わすデータは，画像メモリ16にも与えられ，制御装置２（ドプラ波形記録制御手段）の制御により，画像メモリ16に，ドプラ波形を表わすデータが記憶される。画像メモリ16に記憶されたデータが表示制御装置17に与えられることにより，ドプラ波形が表示装置18の表示画面に表示される。
【００３６】
図２および図３は，超音波診断装置１の処理手順を示すフローチャートである。
【００３７】
上述のように，超音波プローブ６から被検体に超音波が送信され（ステップ21），被検体からの超音波エコーを表わす超音波エコー信号が超音波プローブ６から出力される。上述のように，超音波プローブ６から出力された超音波エコー信号からＤＳＣ14および画像作成装置15（Ｂモード画像生成手段）によってＢモード画像が生成される（ステップ22）。生成されたＢモード画像が表示制御装置17によって表示装置18の表示画面に表示される（ステップ23）（第１の表示制御手段）。
【００３８】
図４は，Ｂモード画像の一例である。
【００３９】
上述したように，表示装置18の表示画面40に，生成されたＢモード画像41が表示されている。Ｂモード画像41は，被検体の断層像であり，白黒画像である。
【００４０】
図２に戻って，超音波診断装置１のユーザによって，操作装置３を用いて，被検体のうち流体の速度を観測する部分が指定される（ステップ24）。
【００４１】
図５は，観測部分が指定されたＢモード画像41の一例である。
【００４２】
上述のように，ユーザによって指定された観測部分42がＢモード画像41上に表示される。
【００４３】
再び図２に戻って，観測部分42が指定されると，その指定された観測部分42に対応する被検体の流体の部分に，超音波プローブ６から超音波が複数回送信される。これにより，上述したように，観測部分におけるドプラ波形が，ドプラ演算装置13によって生成される（ステップ25）（ドプラ波形生成手段）。また，画像作成装置15において，ドプラ波形の包絡線が赤色で生成される（ステップ25）（包絡線生成手段）。すると，表示制御装置17（第２の表示制御手段）の制御により，Ｂモード画像41に，生成された赤色の包絡線が重畳されて表示される（ステップ26）。
【００４４】
図６は，生成された赤色の包絡線が重畳されているＢモード画像41の一例である。
【００４５】
Ｂモード画像41の下部に，赤色の包絡線43が重畳されている。ドプラ波形そのものがＢモード画像41に重畳されるのではなく，包絡線43がＢモード画像41に重畳されるので，Ｂモード画像41が観察しやすい。また，Ｂモード画像41が白黒画像であるのに対し，Ｂモード画像に重畳される包絡線43は赤色であるので，Ｂモード画像41に対して目立ちやすく，観察しやすい。包絡線43は，必ずしも赤色でなくともよい。Ｂモード画像41が白黒画像なので，有彩色であることが好ましいが，無彩色としてもよい。
【００４６】
図３を参照して，生成されたドプラ波形が安定したか不安定状態にあるかが制御装置２によって判定される（ステップ27）（ドプラ波形判定手段）。
【００４７】
ドプラ波形が安定したか不安定状態にあるかは，次のようにして判定できる。まず，包絡線を生成する際にドプラ波形の強度をチェックし，ノイズのみと判断された時間が支配的である場合には，不安定状態にあると判定する。また，ドプラ波形の強度を解析し，各時点の最大流速を算出し，最大流速がほぼ一定である場合には，安定したと判定する。さらに，最大流速が周期的で，その周期が30回毎秒から200回毎秒の場合にも安定したと判定する。
【００４８】
ドプラ波形が不安定状態にあれば（ステップ27でＮＯ），図２ステップ25からの処理が繰り返される。これにより，表示画面には，図６に示すようにＢモード画像41上に赤色の包絡線の重畳表示が続けられる（図２ステップ26）。
【００４９】
ドプラ波形が安定すると（ステップ27でＹＥＳ），Ｂモード画像41に重畳される包絡線43は緑色となる（ステップ28）。
【００５０】
図７は，Ｂモード画像41に緑色の包絡線44が重畳されて表示されている様子を示している。
【００５１】
ドプラ波形が不安定状態にある場合には，図６に示すように赤色の包絡線43がＢモード画像41に重畳されて表示されるが，ドプラ波形が安定すると，図７に示すように緑色の包絡線44がＢモード画像41に重畳されて表示される。図６では，赤色の包絡線43が赤色であることを示すために実線で示され，図７では緑色の包絡線44が緑色であることを示すために破線で示されている。包絡線44の色は必ずしも緑色でなくともよく，ドプラ波形が不安定な場合に表示される包絡線43の色とドプラ波形が安定状態の場合に表示される包絡線44の色とが異なればよい。包絡線44の色が変わったことにより，ドプラ波形が不安定状態から安定状態となったことがユーザに分る。したがって，色が変わる前の包絡線43の色または包絡線43自体が，ドプラ波形が不安定状態にあることを示す情報となる。このように表示制御装置17（第２の表示制御手段）により，安定したか不安定状態にあるかを示す情報が表示画面40に表示されることとなる。
【００５２】
図３を参照して，ドプラ波形が安定すると，安定し始めたドプラ波形を表わすデータが制御装置２（ドプラ波形記録制御手段）の画像メモリ16に記憶され始める（ステップ29）。
【００５３】
ユーザによって操作装置２に含まれるフリーズ・ボタンが押される，あるいは，タイマ（図示略）によってドプラ波形の安定後から一定時間経過すると（ステップ30でＹＥＳ），比較的大きく表示されていたＢモード画像41は縮小されて表示され，包絡線44の表示が停止され，かつ画像メモリ16に記憶されているドプラ波形が包絡線44の大きさよりも大きく拡大されて表示画面40に表示される（ステップ31）。
【００５４】
図８は，縮小されたＢモード画像と拡大されたドプラ波形の一例である。
【００５５】
表示画面40には，縮小されたＢモード画像45と拡大されたドプラ波形46が表示されている。ドプラ波形46は包絡線44と異なり，流速を詳細に示している。ドプラ波形46は拡大されているので，流速の観測が容易となる。
【００５６】
上述の実施例において，包絡線43または44が，ユーザによって指定された観測部分42に重畳されてしまうかどうかを判定し，重畳されてしまう場合には，重畳されないように，包絡線43または44をＢモード画像41に重畳するようにしてもよい。また，包絡線43または44がＢモード画像41に重畳しないように表示してもよい。
【００５７】
図９から図12は，他の実施例を示すものである。
【００５８】
図９および図10は，超音波診断装置１の処理手順を示すフローチャートである。これらの図において，図２または図３に示す処理と同一の処理については同一符号を付して説明を省略する。
【００５９】
ドプラ波形が不安定状態にある場合には，赤色の包絡線43がＢモード画像に重畳される代わりに，「安定度測定中」という文字列が表示画面40に表示される（図９ステップ26Ａ）。
【００６０】
図11は，表示画面40に表示されるＢモード画像41の一例である。
【００６１】
Ｂモード画像41の左上にドプラ波形が不安定な状態にあることを示す情報として「安定度測定中」という文字列47が表示されている。ユーザは，この文字列47を見ることによりドプラ波形が不安定な状態にあることが分る。「安定度測定中」という文字列47の代わりに，ドプラ波形が不安定な状態にある情報を示すマーク，アイコンなどを表示画面40に表示してもよい。
【００６２】
ドプラ波形が安定すると（図10ステップ27でＹＥＳ），表示画面40には「解析可」という文字列が表示される（図10ステップ28Ａ）。
【００６３】
図12は，表示画面40に「解析可」の文字列48が表示されている様子を示している。
【００６４】
表示画面40にはＢモード画像41が表示されており，その左上に「解析可」の文字列48が表示されている。ユーザは，「解析可」の文字列48を見ることにより，ドプラ波形が安定状態となったことを知る。
【００６５】
上述した文字列47および48は，Ｂモード画像41に重畳されていないが，重畳されてもよい。
【符号の説明】
【００６６】
１  超音波診断装置（音響波診断装置）
２  制御装置（ドプラ波形記録制御手段，包絡線生成手段）
６  超音波プローブ（音響波プローブ）
12  検波処理装置（Ｂモード画像生成手段，ドプラ波形生成手段）
13  ドプラ演算装置（ドプラ波形生成手段）
14  ＤＳＣ（Ｂモード画像生成手段，ドプラ波形生成手段）
15  画像作成装置（Ｂモード画像生成手段，ドプラ波形生成手段）
17  表示制御装置（第１の表示制御手段，第２の表示制御手段，第３の表示制御手段）
【図１】
2016059470.tif 000003
【図２】
2016059470.tif 000004
【図３】
2016059470.tif 000005
【図４】
2016059470.tif 000006
【図５】
2016059470.tif 000007
【図６】
2016059470.tif 000008
【図７】
2016059470.tif 000009
【図８】
2016059470.tif 000010
【図９】
2016059470.tif 000011
【図１０】
2016059470.tif 000012
【図１１】
2016059470.tif 000013
【図１２】
2016059470.tif 000014